(57)【要約】【課題】情報処理の負担の増加を抑制しながら、通信情報の遅延時間を短くすることができる蓄電池用通信機器等を提供する。【解決手段】蓄電池用通信機器５は、第１の時間Ｔ１ごとに、複数種類の情報のうちの第１の通信情報を蓄電池管理サーバ２へ送信する第１の通信処理と、第１の時間Ｔ１よりも短い第２の時間Ｔ２ごとに、複数種類の情報のうちの第２の通信情報を蓄電池管理サーバ２へ送信する第２の通信処理と、を実行し、第１の通信情報のデータ量は、第２の通信情報のデータ量よりも多い。【選択図】図３
2018046711.tif 000002
【特許請求の範囲】
【請求項１】
蓄電池と前記蓄電池を制御する制御部とを備えた蓄電池システムから前記蓄電池システムを管理する蓄電池管理サーバへ前記蓄電池に関する情報を送信する蓄電池用通信機器であって、
前記制御部から取得された前記蓄電池に関する複数種類の情報を記憶するメモリと、
前記メモリに記憶された前記複数種類の情報を前記蓄電池管理サーバへ送信する送信部と、を備え、
前記送信部は、
第１の時間ごとに、前記複数種類の情報のうちの第１の通信情報を前記蓄電池管理サーバへ送信する第１の通信処理と、
前記第１の時間よりも短い第２の時間ごとに、前記複数種類の情報のうちの第２の通信情報を前記蓄電池管理サーバへ送信する第２の通信処理と、を実行し、
前記第１の通信情報のデータ量は、前記第２の通信情報のデータ量よりも多い、蓄電池用通信機器。
【請求項２】
前記第１の通信情報は、前記蓄電池の故障または再起動の情報、前記蓄電池の通算充電量の情報、および前記蓄電池の通算放電量の情報のうちの少なくともいずれか１つを含む、請求項１に記載の蓄電池用通信機器。
【請求項３】
前記第２の通信情報は、前記蓄電池の残存容量の情報、前記蓄電池が充電状態、放電状態、および待機状態のうちのいずれの状態であるのかを示す情報、ならびに、前記蓄電池の温度の情報のうちの少なくともいずれか１つを含む、請求項１または２に記載の蓄電池用通信機器。
【請求項４】
蓄電池と前記蓄電池を制御する制御部と前記蓄電池に関する情報を管理する蓄電池管理サーバへ送信する通信部とを備えた蓄電池システムであって、
前記通信部は、
前記制御部から取得された前記蓄電池に関する複数種類の情報を記憶するメモリと、
前記メモリに記憶された前記複数種類の情報を前記蓄電池管理サーバへ送信する送信部と、を備え、
前記送信部は、
第１の時間ごとに、前記複数種類の情報のうちの第１の通信情報を前記蓄電池管理サーバへ送信する第１の通信処理と、
前記第１の時間よりも短い第２の時間ごとに、前記複数種類の情報のうちの第２の通信情報を前記蓄電池管理サーバへ送信する第２の通信処理と、を実行し、
前記第１の通信情報のデータ量は、前記第２の通信情報のデータ量よりも多い、蓄電池システム。
【請求項５】
蓄電池システムを管理する蓄電池管理サーバであって、
前記蓄電池システムへ送信される蓄電池管理に関する複数種類の情報を記憶するメモリと、
前記メモリに記憶された前記複数種類の情報を前記蓄電池システムへ送信する送信部と、を備え、
前記送信部は、
第３の時間ごとに、前記複数種類の情報のうちの第３の通信情報を前記蓄電池システムへ送信する第３の通信処理と、
前記第３の時間よりも短い第４の時間ごとに、前記複数種類の情報のうちの第４の通信情報を前記蓄電池管理サーバへ送信する第４の通信処理と、を実行し、
前記第３の通信情報のデータ量は、前記第４の通信情報のデータ量よりも多い、蓄電池管理サーバ。
【請求項６】
前記第３の通信情報は、前記蓄電池システムの充電および放電のスケジュールを特定可能な情報を含む、請求項５に記載の蓄電池管理サーバ。
【請求項７】
前記蓄電池システムは、電力系統から前記蓄電池システムへ充電できかつ前記蓄電池システムから前記電力系統へ放電できるように構成されており、
前記蓄電池管理サーバは、前記電力系統から前記蓄電池システムへの充電を要求するデマンドレスポンス指令情報および前記蓄電池システムから前記電力系統への放電を要求するデマンドレスポンス指令情報のそれぞれを送信でき、
前記第４の通信情報は、前記デマンドレスポンス指令情報を含む、請求項５または６に記載の蓄電池管理サーバ。
【請求項８】
蓄電池システムを管理する蓄電池管理サーバへ蓄電池に関する情報を送信するように、前記蓄電池システムと前記蓄電池管理サーバとの通信を中継する蓄電池用通信機器または前記蓄電池システムに組み込まれたコンピュータを動作させるための蓄電池通信制御プログラムであって、
前記コンピュータを、前記蓄電池に関する複数種類の情報を記憶するメモリ、および、前記メモリに記憶された前記複数種類の情報を前記蓄電池管理サーバへ送信する送信部、として機能させ、
前記送信部は、
第１の時間ごとに、前記複数種類の情報のうちの第１の通信情報を前記蓄電池管理サーバへ送信する第１の通信処理と、
前記第１の時間よりも短い第２の時間ごとに、前記複数種類の情報のうちの第２の通信情報を前記蓄電池管理サーバへ送信する第２の通信処理と、を実行し、
前記第１の通信情報のデータ量は、前記第２の通信情報のデータ量よりも多い、蓄電池通信制御プログラム。
【請求項９】
蓄電池システムを管理する蓄電池管理サーバに組み込まれたコンピュータを動作させるための蓄電池管理プログラムであって、
前記コンピュータを、前記蓄電池システムへ送信される蓄電池管理に関する複数種類の情報を記憶するメモリ、および、前記メモリに記憶された前記複数種類の情報を前記蓄電池システムへ送信する送信部、として機能させ、
前記送信部は、
第３の時間ごとに、前記複数種類の情報のうちの第３の通信情報を前記蓄電池システムへ送信する第３の通信処理と、
前記第３の時間よりも短い第４の時間ごとに、前記複数種類の情報のうちの第４の通信情報を前記蓄電池管理サーバへ送信する第４の通信処理と、を実行し、
前記第３の通信情報のデータ量は、前記第４の通信情報のデータ量よりも多い、蓄電池管理プログラム。
【発明の詳細な説明】
【技術分野】
【０００１】
本発明は、蓄電池システムと蓄電池管理サーバとの間で通信される情報を中継する蓄電池用通信機器等に関する。
【背景技術】
【０００２】
従来においては、蓄電池管理サーバが、蓄電池システムの状態に応じて、蓄電池システムから情報を収集する頻度を決定する技術が提案されている（特許文献１参照）。この従来技術によれば、たとえば、蓄電池が充電中の状態、放電中の状態、および待機中の状態のいずれの状態であるのか等に応じて、蓄電池管理サーバが蓄電池システムから情報を収集する頻度を変更することができる。
【先行技術文献】
【特許文献】
【０００３】
【特許文献１】特開２０１４−１０３７１７号公報
【発明の概要】
【発明が解決しようとする課題】
【０００４】
従来の蓄電池システムまたは蓄電池システムと蓄電池管理サーバとの間で通信される情報を中継する蓄電池用通信機器は、通常、蓄電池管理サーバへ、予め定められた間隔で、たとえば、３０分に一回だけ、通信情報を送信する。この通信情報は、たとえば、蓄電池に関する情報の全てを含むため、全体としてかなりデータ量が大きい。また、蓄電池管理サーバは、蓄電池システムから送信されてきた通信情報を受信したことを契機として、蓄電池システムへ通信情報を送信する。つまり、蓄電池管理サーバも、３０分に一回だけ、蓄電池システムへ通信情報を送信する。この通信情報は、デマンドレスポンス指令情報に加えて、蓄電池システム６の２４時間の充電および放電のスケジュールの情報等の蓄電池管理に関する情報の全てを含むため、全体としてかなりデータ量が大きい。そのため、蓄電池システムおよび蓄電池管理サーバの双方において、通信情報の処理に時間を要するとともに、多くの通信情報を記憶する容量の大きなメモリを必要とする。
【０００５】
一方、蓄電池管理サーバは、たとえば、系統電力の需要量および供給量に応じて、デマンドレスポンス指令情報を蓄電池システムまたは蓄電池用通信機器へ送信する。このデマンドレスポンス指令情報を上述した、たとえば、３０分に１回の間隔で送信するのであれば、デマンドレスポンスの遅延時間が長く、系統電力の需要または供給に即座に対応することができない場合がある。そのため、デマンドレスポンス指令情報の送信間隔を前述の３０分に１回よりもかなり短くしたいという要望がある。しかしながら、蓄電池管理サーバと蓄電池用通信機器との間での通信の間隔を短くすると、蓄電池管理サーバおよび蓄電池用通信機器の双方で処理しなければならない通信情報のデータ量が極めて大きくなってしまう。この場合、蓄電池管理サーバおよび蓄電池用通信機器のいずれも、処理能力やメモリの容量等を大幅に向上させなければならない。
【０００６】
以上から分かるように、蓄電池用通信機器および蓄電池管理サーバのそれぞれの通信情報の処理の負担の増加を抑制しながら、通信情報の遅延時間、たとえば、デマンドレスポンス指令情報の遅延時間を短くしたいという要望がある。
【０００７】
本発明は、このような従来技術の有する課題に鑑みてなされたものである。本発明の目的は、通信情報の処理の負担の増加を抑制しながら、通信情報の遅延時間を短くすることができる蓄電池用通信機器、蓄電池システム、および蓄電池管理サーバを提供することである。
【０００８】
また、本発明の他の目的は、前述の蓄電池用通信機器または蓄電池システムに用いられる蓄電池通信制御プログラムおよび前述の蓄電池管理サーバに用いられる蓄電池管理プログラムを提供することである。
【課題を解決するための手段】
【０００９】
上記課題を解決するために、本発明の第１の態様に係る蓄電池用通信機器は、蓄電池と前記蓄電池を制御する制御部とを備えた蓄電池システムから前記蓄電池システムを管理する蓄電池管理サーバへ前記蓄電池に関する情報を送信する蓄電池用通信機器であって、前記制御部から取得された前記蓄電池に関する複数種類の情報を記憶するメモリと、前記メモリに記憶された前記複数種類の情報を前記蓄電池管理サーバへ送信する送信部と、を備え、前記送信部は、第１の時間ごとに、前記複数種類の情報のうちの第１の通信情報を前記蓄電池管理サーバへ送信する第１の通信処理と、前記第１の時間よりも短い第２の時間ごとに、前記複数種類の情報のうちの第２の通信情報を前記蓄電池管理サーバへ送信する第２の通信処理と、を実行し、前記第１の通信情報のデータ量は、前記第２の通信情報のデータ量よりも多い。
【００１０】
本発明の第２の態様に係る蓄電池システムは、蓄電池と前記蓄電池を制御する制御部と前記蓄電池に関する情報を管理する蓄電池管理サーバへ送信する通信部とを備えた蓄電池システムであって、前記通信部は、前記制御部から取得された前記蓄電池に関する複数種類の情報を記憶するメモリと、前記メモリに記憶された前記複数種類の情報を前記蓄電池管理サーバへ送信する送信部と、を備え、前記送信部は、第１の時間ごとに、前記複数種類の情報のうちの第１の通信情報を前記蓄電池管理サーバへ送信する第１の通信処理と、前記第１の時間よりも短い第２の時間ごとに、前記複数種類の情報のうちの第２の通信情報を前記蓄電池管理サーバへ送信する第２の通信処理と、を実行し、前記第１の通信情報のデータ量は、前記第２の通信情報のデータ量よりも多い。
【００１１】
本発明の第３の態様に係る蓄電池管理サーバは、蓄電池システムを管理する蓄電池管理サーバであって、前記蓄電池システムへ送信される蓄電池管理に関する複数種類の情報を記憶するメモリと、前記メモリに記憶された前記複数種類の情報を前記蓄電池システムへ送信する送信部と、を備え、前記送信部は、第３の時間ごとに、前記複数種類の情報のうちの第３の通信情報を前記蓄電池システムへ送信する第３の通信処理と、前記第３の時間よりも短い第４の時間ごとに、前記複数種類の情報のうちの第４の通信情報を前記蓄電池管理サーバへ送信する第４の通信処理と、を実行し、前記第３の通信情報のデータ量は、前記第４の通信情報のデータ量よりも多い。
【００１２】
本発明の第４の態様に係る蓄電池通信制御プログラムは、蓄電池を管理する蓄電池管理サーバへ前記蓄電池に関する情報を送信するように、前記蓄電池システムと前記蓄電池管理サーバとの通信を中継する蓄電池用通信機器または前記蓄電池システムに組み込まれたコンピュータを動作させるための蓄電池通信制御プログラムであって、前記コンピュータを、前記蓄電池に関する複数種類の情報を記憶するメモリ、および、前記メモリに記憶された前記複数種類の情報を前記蓄電池管理サーバへ送信する送信部、として機能させ、前記送信部は、第１の時間ごとに、前記複数種類の情報のうちの第１の通信情報を前記蓄電池管理サーバへ送信する第１の通信処理と、前記第１の時間よりも短い第２の時間ごとに、前記複数種類の情報のうちの第２の通信情報を前記蓄電池管理サーバへ送信する第２の通信処理と、を実行し、前記第１の通信情報のデータ量は、前記第２の通信情報のデータ量よりも多い。
【００１３】
本発明の第５の態様に係る蓄電池管理プログラムは、蓄電池システムを管理する蓄電池管理サーバに組み込まれたコンピュータを動作させるための蓄電池管理プログラムであって、前記コンピュータを、前記蓄電池システムへ送信される蓄電池管理に関する複数種類の情報を記憶するメモリ、および、前記メモリに記憶された前記複数種類の情報を前記蓄電池システムへ送信する送信部、として機能させ、前記送信部は、第３の時間ごとに、前記複数種類の情報のうちの第３の通信情報を前記蓄電池システムへ送信する第３の通信処理と、前記第３の時間よりも短い第４の時間ごとに、前記複数種類の情報のうちの第４の通信情報を前記蓄電池管理サーバへ送信する第４の通信処理と、を実行し、前記第３の通信情報のデータ量は、前記第４の通信情報のデータ量よりも多い。
【発明の効果】
【００１４】
本発明の蓄電池用通信機器、蓄電池システム、蓄電池通信制御プログラム、蓄電池管理サーバ、および蓄電池管理プログラムのそれぞれによれば、情報処理の負担の増加を抑制しながら、通信情報の遅延時間を短くすることができる。
【図面の簡単な説明】
【００１５】
【図１】本発明の実施の形態１の通信システムの全体構成を説明するための模式図である。
【図２】本発明の実施の形態１の蓄電池用通信機器および蓄電池管理サーバの機能を説明するためのブロック図である。
【図３】本発明の実施の形態１の蓄電池用通信機器と蓄電池管理サーバとの間の通信態様を説明するためのシーケンス図である。
【図４】本発明の実施の形態１の蓄電池用通信機器が送信する第１の通信情報および第２の通信情報を説明するための図である。
【図５】本発明の実施の形態１の蓄電池管理サーバが送信する第３の通信情報および第４の通信情報を説明するための図である。
【図６】本発明の実施の形態１の蓄電池用通信機器の蓄電池通信制御プログラムが実行する蓄電池通信処理を説明するためのフローチャートである。
【図７】本発明の実施の形態１の蓄電池管理サーバの蓄電池管理プログラムが実行するサーバ通信処理を説明するためのフローチャートである。
【図８】本発明の実施の形態１の変形例の蓄電池用通信機器と蓄電池管理サーバとの間の通信態様を説明するためのシーケンス図である。
【図９】本発明の実施の形態２の蓄電池システムを説明するための模式図である。
【図１０】本発明の実施の形態３の蓄電池システムを説明するための模式図である。
【発明を実施するための形態】
【００１６】
以下、図面を参照しながら、実施の形態の蓄電池用通信機器、蓄電池システム、およびそれらに用いられる蓄電池通信制御プログラム、ならびに、蓄電池管理サーバおよびそれに用いられる蓄電池管理プログラムを説明する。各実施の形態の説明および図面においては、同一の参照符号が同一の部分に付されている。同一の参照符号が付された同一の部分の説明は、特に必要がなければ、後続の実施の形態において繰り返されない。実施の形態１と後続の実施の形態との図面の対比において、同一の参照符号が付された同一の部分は、特に説明がなければ、同一の構造および機能を有している。
【００１７】
（実施の形態１）
まず、図１を用いて、実施の形態１の通信システムの全体構成を説明する。
【００１８】
図１に示されるように、本実施の形態の通信システムにおいては、電力会社の設備が電気情報通信網３の一例としてのインターネットに接続されている。電力会社の設備は、電力会社サーバ１および蓄電池管理サーバ２を含んでいる。また、本実施の形態の通信システムにおいては、多数の蓄電池システム６が蓄電池用通信機器５およびルータ４を経由して電気情報通信網３に接続されている。本実施の形態においては、蓄電池管理サーバ２と蓄電池用通信機器５とは、電気情報通信網３であるインターネットを経由して通信可能である。ただし、蓄電池管理サーバ２と蓄電池用通信機器５とは、インターネットを経由することなく、専用回線を経由して通信可能に接続されていてもよい。
【００１９】
蓄電池管理サーバ２は、多数の蓄電池システム６のそれぞれから蓄電池に関する情報、たとえば、蓄電池の残量、蓄電池の通算充電量、および蓄電池の通算放電量等の情報を受信する。それにより、蓄電池管理サーバ２は、蓄電池システム６との情報の送受信によって蓄電池システム６の動作および状態を管理する。一方、電力会社サーバ１は、蓄電池管理サーバ２から蓄電池に関する情報を取得するとともに、他の機器から顧客情報および電力料金等の情報を取得する。それにより、電力会社サーバ１は、蓄電池管理サーバ２が管理する多数の蓄電池に関する情報に加えて、顧客情報および電力料金に関する情報等も管理する。
【００２０】
蓄電池管理サーバ２は、充電を要求するデマンドレスポンス指令情報または放電を要求するデマンドレスポンス指令情報等の蓄電池管理に関する情報を蓄電池用通信機器５へ送信する。蓄電池用通信機器５は、蓄電池管理サーバ２から蓄電池管理に関する情報を受信し、それを蓄電池システム６へ送信する。また、蓄電池用通信機器５は、蓄電池システム６から蓄電池に関する情報を受信し、その蓄電池に関する情報を蓄電池管理サーバ２へ送信する。
【００２１】
一方、電力会社の発電所から送電された電力を各建物１００に供給する電力系統７が、各建物１００の外部に設置された電力メータ８を経由して、建物１００内の分電盤９に電気的に接続されている。分電盤９には、建物１００内に設置された空気調和機１０等の電力を消費する各種の電気機器および蓄電池用通信機器５が電気的に接続されているとともに、建物１００外に設置された蓄電池システム６が電気的に接続されている。そのため、電力が電力系統７から電力メータ８および分電盤９を経由して空気調和機１０、蓄電池用通信機器５、および蓄電池システム６へ供給される。
【００２２】
また、蓄電池システム６は、電力系統７に対して、電力メータ８および分電盤９を経由して、充電または放電できる蓄電池６Ａを備えている。蓄電池システム６は、蓄電池６Ａの直流電力を電力系統７へ交流電力として出力させ、電力系統７の交流電力を蓄電池６Ａへ直流電力として入力させる電力変換部６Ｂを備えている。蓄電池システム６は、電力変換部６Ｂを制御することにより、蓄電池６Ａを充電、放電、および待機の状態のうちのいずれかの状態に切り換える制御部６Ｃを備えている。
【００２３】
次に、図２を用いて、本実施の形態の蓄電池用通信機器５と蓄電池管理サーバ２との間の通信態様を説明する。
【００２４】
本実施の形態の蓄電池用通信機器５は、時間を計時するタイマ５Ｔを備えている。タイマ５Ｔは、タイマ５Ｔ１，５Ｔ２を含んでいるが、これらの詳細については後述される。蓄電池用通信機器５は、タイマ５Ｔ１，５Ｔ２のそれぞれがある時間を計時するごとに、蓄電池システム６から蓄電池管理サーバ２へ蓄電池に関する情報を送信する。蓄電池用通信機器５は、蓄電池に関する複数種類の情報を一時的に記憶するメモリ５Ｍを備えている。また、蓄電池用通信機器５は、メモリ５Ｍに記憶された複数種類の情報を蓄電池管理サーバ２へ送信する送信部５Ｃを備えている。送信部５Ｃは、蓄電池管理サーバ２からデマンドレスポンス指令情報等を受信する受信部としても機能する。蓄電池用通信機器５には、蓄電池管理サーバ２との間の通信を制御する処理を実行する蓄電池通信制御プログラム５Ｐが内蔵されている。蓄電池通信制御プログラム５Ｐは、コンピュータ読み取り可能であり、蓄電池用通信機器５の外部装置としての記録媒体５Ｒに記録され得るものであり、記録媒体５Ｒから蓄電池用通信機器５へインストールされる。
【００２５】
本実施の形態の蓄電池管理サーバ２は、時間を計時するタイマ２Ｔを備えている。蓄電池管理サーバ２は、蓄電池システム６から蓄電池に関する複数種類の情報を受信する。蓄電池管理サーバ２は、蓄電池に関する複数種類の情報および蓄電池管理に関する複数種類の情報を一時的に記憶するメモリ２Ｍを備えている。蓄電池管理サーバ２は、メモリ２Ｍに記憶された複数種類の情報を蓄電池管理サーバ２へ送信する送信部２Ｃを備えている。送信部２Ｃは、蓄電池用通信機器５から蓄電池に関する情報等を受信する受信部としても機能する。蓄電池管理サーバ２には、蓄電池用通信機器５との間の通信を制御する処理を実行する蓄電池管理プログラム２Ｐが内蔵されている。蓄電池管理プログラム２Ｐは、コンピュータ読み取り可能であり、蓄電池管理サーバ２の外部装置としての記録媒体２Ｒに記録され得るものであり、記録媒体２Ｒから蓄電池管理サーバ２へインストールされる。蓄電池管理サーバ２は、さらに、蓄電池用通信機器５から送信されてきた情報および蓄電池用通信機器５へ送信する情報を格納するデータベース２Ｄを備えている。
【００２６】
次に、図３を用いて、蓄電池用通信機器５と蓄電池管理サーバ２との間の通信態様を説明する。
【００２７】
図３に示されるように、蓄電池用通信機器５の送信部５Ｃは、第１の時間Ｔ１ごとに、複数種類の情報のうちの第１の通信情報（図３において相対的に太い矢印）を蓄電池管理サーバ２へ送信する第１の通信処理を実行する。第１の時間Ｔ１は、たとえば、３０分とする。蓄電池用通信機器５の送信部５Ｃは、第１の時間Ｔ１よりも短い第２の時間Ｔ２ごとに、複数種類の情報のうちの第２の通信情報（図３において相対的に細い矢印）を蓄電池管理サーバ２へ送信する第２の通信処理を実行する。第２の時間Ｔ２は、たとえば、１分とする。ただし、本実施の形態においては、第１の通信情報が送信されている時間帯を含む第２の時間Ｔ２内においては、第２の通信情報は送信されていない。
【００２８】
第１の通信情報のデータ量は、第２の通信情報のデータ量よりも多い。したがって、相対的にデータ量が多い第１の通信情報は相対的に長い第１の時間Ｔ１が経過するごとに蓄電池管理サーバ２へ送信される。また、相対的にデータ量が少ない第２の通信情報は相対的に短い第２の時間Ｔ２ごとに蓄電池管理サーバ２へ送信される。これによれば、長い間隔で送信しても問題が生じない情報を第１の通信情報とすることにより、蓄電池管理サーバ２の通信情報の処理の負担を軽減することができる。また、短い間隔で送信することが必要な情報を第２の通信情報とすることにより、蓄電池管理サーバ２において蓄電池に関する必要なデータが不足する時間帯の発生を防止することができる。
【００２９】
蓄電池管理サーバ２の送信部２Ｃは、第１の通信情報を受信したことを契機として、複数種類の情報のうちの第３の通信情報を蓄電池システム６へ送信する第３の通信処理を実行する。第３の通信情報が送信部２Ｃから送信される間隔は、第１の時間Ｔ１と同程度になることが多いと考えられるが、通信トラフィックの混雑の程度に応じて、第１の時間Ｔ１とは若干異なる時間となることも考えられる。蓄電池管理サーバ２の送信部２Ｃは、第２の通信情報を受信したことを契機として、複数種類の情報のうちの第４の通信情報を蓄電池管理サーバ２へ送信する第４の通信処理を実行する。第４の通信情報が送信部２Ｃから送信される間隔は、第２の時間Ｔ２と同程度になることが多いと考えられるが、通信トラフィックの混雑の程度に応じて、第２の時間Ｔ２とは若干異なる時間となることも考えられる。なお、蓄電池用通信機器５および蓄電池管理サーバ２は、互いに独立して、通信情報を送信するものであってもよい。
【００３０】
第３の通信情報のデータ量は、第４の通信情報のデータ量よりも多い。したがって、通常、相対的にデータ量が多い第３の通信情報は相対的に長い時間が経過するごとに蓄電池システム６へ送信される。また、通常、相対的にデータ量が少ない第４の通信情報は相対的に短い時間ごとに蓄電池管理サーバ２へ送信される。これによれば、長い間隔で送信しても問題が生じない情報を第３の通信情報とすることにより、蓄電池管理サーバ２の通信情報の処理の負担を軽減することができる。また、短い間隔で送信することが必要な情報を第４の通信情報とすることにより、蓄電池システム６において蓄電池管理に関する必要なデータ、たとえば、デマンドレスポンス指令情報が不足する時間帯の発生を防止することができる。
【００３１】
図３には描かれていないが、蓄電池用通信機器５は、蓄電池システム６から蓄電池に関する情報を、所定時間ごとに、たとえば、１分ごとに取得している。蓄電池用通信機器５が蓄電池システム６から蓄電池に関する情報を取得する間隔は、蓄電池用通信機器５が蓄電池管理サーバ２へ第２の通信情報を送信している時間帯）を含む間隔（Ｔ２）と同一かまたはそれよりも短ければよい。
【００３２】
次に、図４を用いて、第１の通信情報および第２の通信情報の詳細について説明する。図４に記載されているように、第１の通信情報および第２の通信情報は、いずれも、蓄電池システム６から蓄電池管理サーバ２へ送信される情報であって、蓄電池に関する情報である。
【００３３】
図４に示されるように、第１の通信情報は、たとえば、蓄電池６Ａの故障または再起動等のイベントの情報、蓄電池６Ａの通算充電量の情報、および蓄電池６Ａの通算放電量の情報を含んでいる。そのため、比較的長い時間が経過したときにある程度の量の変化を把握すればよい情報を第１の通信情報としている。したがって、蓄電池用通信機器５の通信情報の処理の負担を軽減することができる。
【００３４】
蓄電池システム６の通算充電量の情報および通算放電量の情報は、蓄電池システム６の寿命予測に活用することができる。寿命予測は頻繁にデータ収集する必要が無いため、蓄電池用通信機器５は、相対的に長い間隔で蓄電池管理サーバ２へ送信する。それにより、蓄電池用通信機器５および蓄電池管理サーバ２の双方の通信情報の処理の負担の増加を抑制することができる。
【００３５】
第２の通信情報は、蓄電池６Ａの残存容量の情報、蓄電池６Ａが充電状態、放電状態、および待機状態のうちのいずれの状態であるのかを示す情報、蓄電池６Ａの温度の情報等を含んでいる。つまり、比較的短い時間が経過した段階で把握することが好ましい情報を第１の通信情報としている。そのため、蓄電池用通信機器５は、蓄電池管理サーバ２が極力タイムラグなく把握しておくことが好ましい情報を相対的に短い間隔で蓄電池管理サーバ２へ送信することができる。
【００３６】
次に、図５を用いて、第３の通信情報および第４の通信情報の詳細について説明する。図５に記載されているように、第３の通信情報および第４の通信情報は、いずれも、蓄電池管理サーバ２から蓄電池システム６へ送信される情報であって、蓄電池管理に関する情報である。
【００３７】
図５に示されるように、本実施の形態においては、第３の通信情報は、デマンドレスポンス指令情報を含んでいる。第４の通信情報も、デマンドレスポンス指令情報を含んでいる。そのため、おおよそ第２の時間Ｔ２に近い時間ごとに、必ずデマンドレスポンス指令情報が蓄電池管理サーバ２から蓄電池システム６へ送信される。つまり、デマンドレスポンス指令情報は、相対的に短い間隔で送信される。したがって、電力の需要および供給により迅速に対応することができる。また、第３の通信情報は、蓄電池６Ａの充電および放電のスケジュールを特定可能な情報を含んでいる。蓄電池６Ａの充電および放電のスケジュールは、情報量が多いため、相対的に長い間隔を置いて送信されることにより、蓄電池管理サーバ２および蓄電池用通信機器５の双方の通信情報の処理の負担を軽減することができる。
【００３８】
図６を用いて、蓄電池用通信機器５の蓄電池通信制御プログラム５Ｐが実行する蓄電池通信処理を説明する。
【００３９】
図６に示されるように、蓄電池通信処理においては、まず、ステップＳ１において、タイマ５Ｔがスタートされる。このとき、第１の時間Ｔ１（たとえば、３０分）まで計時されるタイマ５Ｔ１と、第２の時間Ｔ２（たとえば、１分）まで計時されるタイマ５Ｔ２との双方がスタートされる。
【００４０】
次に、ステップＳ２において、タイマ５Ｔ１が第１の時間Ｔ１を計時し終えていたか否かが判定される。ステップＳ２において、タイマ５Ｔ１が既に第１の時間Ｔ１を計時し終えていた場合には、ステップＳ３において、第１の通信情報（図４参照）を送信する処理が実行される。その後、ステップＳ４において、第３の通信情報が受信される。次に、ステップＳ５において、第３の通信情報を蓄電池システム６へ送信する処理が実行される。ステップＳ６において、タイマ５Ｔ１およびタイマ５Ｔ２がともにリセットされた後、ステップＳ２の処理が再び実行される。
【００４１】
ステップＳ２において、タイマ５Ｔ１が第１の時間Ｔ１を未だ計時し終えていない場合には、ステップＳ７において、タイマ５Ｔ２が第２の時間Ｔ２を計時し終えていたか否かが判定される。ステップＳ７において、タイマ５Ｔ２が既に第２の時間Ｔ２を計時し終えていた場合には、ステップＳ８において、第２の通信情報（図４参照）を送信する処理が実行される。
【００４２】
その後、ステップＳ９において、蓄電池用通信機器５は、第４の通信情報を受信する。その後、ステップＳ１０において、第４の通信情報を蓄電池システム６へ送信する処理が実行される。次に、ステップＳ１１において、タイマ５Ｔ２がリセットされた後、ステップＳ２の処理が再び実行される。ステップＳ７において、タイマ５Ｔ２が第２の時間Ｔ２を未だ計時していない場合には、直ぐにステップＳ２の処理が再度実行される。
【００４３】
図７を用いて、蓄電池管理サーバ２の蓄電池管理プログラム２Ｐが実行するサーバ通信処理を説明する。
【００４４】
図７に示されるように、サーバ通信処理においては、まず、ステップＳ１１１において、蓄電池管理サーバ２は、蓄電池用通信機器５から送信されてきた情報を取得したか否かを判定する。ステップＳ１１１において情報が取得されていなければ、蓄電池管理サーバ２は情報が取得されるまで待機する。
【００４５】
ステップＳ１１１において、情報が取得されていれば、蓄電池管理サーバ２は、その情報がメモリ２Ｍに記憶され、ステップＳ１１２の処理が実行される。ステップＳ１２においては、ステップＳ１１１において取得された情報が第２の通信情報であるか否かが判定される。ステップＳ１１２において、ステップＳ１１１において取得された情報が第２の通信情報であると判定されると、ステップＳ１１３において、第４の通信情報（図５参照）を蓄電池用通信機器５へ送信する処理が実行される。その後、ステップＳ１１４において、第２の通信情報がデータベース２Ｄに格納される。次に、ステップＳ１１５において、メモリ２Ｍに記憶されているステップＳ１１１において取得された情報が消去され、その後、ステップＳ１１１の処理が再び実行される。
【００４６】
一方、ステップＳ１１２において、ステップＳ１１２において取得された情報が第２の通信情報でないと判定されれば、ステップＳ１１６において、ステップＳ１１１において取得された情報が第１の通信情報であるか否かが判定される。ステップＳ１１６において、ステップＳ１１１において取得された情報が第１の通信情報であると判定されれば、ステップＳ１１７において、第３の通信情報（図５参照）を送信する処理が実行される。その後、ステップＳ１１８において、第１の通信情報がデータベース２Ｄに格納される。その後、ステップＳ１１９においてメモリ２Ｍに記憶されていたステップＳ１１９において取得された情報が消去され、ステップＳ１１１の処理が再び実行される。ステップＳ１１６において、ステップＳ１１１において取得された情報が第１の通信情報ではないと判定されると、ステップＳ１１９において、メモリ２Ｍに記憶されていたステップＳ１１１において取得された情報が消去され、ステップＳ１１１の処理が再び実行される。
【００４７】
次に、上記した本実施の形態の実施の形態の蓄電池用通信機器、蓄電池システム、蓄電池通信制御プログラム、蓄電池管理サーバ、および蓄電池管理プログラムの変形例１〜４を説明する。
【００４８】
(変形例１)
本実施の形態においては、蓄電池用通信機器５は、タイマ５Ｔ２が第２の時間Ｔ２を計時し終えることにより、第１の通信情報を送信しているときは、第２の通信情報を送信しない。しかしながら、蓄電池用通信機器５は、第１の通信情報と第２の通信情報とは、同時に重ねて送信するものであってもよい。
【００４９】
(変形例２)
本実施の形態においては、クライアントリクエストモデル、すなわち、蓄電池用通信機器５が蓄電池管理サーバ２に対して通信を開始する例が示されている。しかしながら、蓄電池用通信機器５において、予め蓄電池管理サーバ２との通信が確立されているのであれば、蓄電池管理サーバ２から蓄電池用通信機器５へ通信を開始してもよい。
【００５０】
たとえば、図８に示されるように、変形例２においては、相対的にデータ量が多い第３の通信情報が相対的に長い第３の時間Ｔ３が経過するごとに蓄電池管理サーバ２から蓄電池用通信装置５へ送信されてもよい。また、相対的にデータ量が少ない第４の通信情報が相対的に短い第４の時間Ｔ４ごとに蓄電池管理サーバ２から蓄電池用通信装置５へ送信されてもよい。この場合に、第３の通信情報のデータ量は、第４の通信情報のデータ量よりも多い。これによれば、長い間隔で送信しても問題が生じない情報を第３の通信情報とすることにより、蓄電池管理サーバ２の通信情報の処理の負担を軽減することができる。また、短い間隔で送信することが必要な情報を第４の通信情報とすることにより、蓄電池システム６において蓄電池管理に関する必要なデータ、たとえば、デマンドレスポンス指令情報が不足する時間帯の発生を防止することができる。
【００５１】
本変形例２の場合、蓄電池用通信機器５は、第３の通信情報を受信したことを契機として、蓄電池管理サーバ２へ第１の通信情報を送信している。また、蓄電池用通信機器５は、第４の通信情報を受信したことを契機として、蓄電池管理サーバ２へ第２の通信情報を送信している。しかしながら、蓄電池用通信機器５および蓄電池管理サーバ２は、互いに独立して、通信情報を送信するものであってもよい。
【００５２】
(変形例３)
上記の実施の形態１および変形例１および２においては、第１の時間Ｔ１および第３の時間Ｔ３は、いずれも、３０分であるものとする。第２の時間Ｔ２および第４の時間Ｔ４は、いずれも、１分であるものとする。しかしながら、第１の時間Ｔ１、第２の時間Ｔ２、第３の時間Ｔ３、および第４の時間Ｔ４は、特に上記の時間に限定されない。第２の時間Ｔ２が第１の時間Ｔ１よりも短く、第４の時間Ｔ４が第３の時間Ｔ３よりも短ければ、それぞれの時間は、いかなる時間であってもよい。つまり、第１の時間Ｔ１と第３の時間Ｔ３とは、同一であってよいが、異なっていてもよい。また、第２の時間Ｔ２と第４の時間Ｔ４とは、同一であってもよいが、異なっていてもよい。
【００５３】
本実施の形態においては、第１の時間Ｔ１、第２の時間Ｔ２、第３の時間Ｔ３、および第４の時間Ｔ４の情報は、初期設定時に蓄電池管理サーバ２から蓄電池システム６へ送信されるものとする。しかしながら、第１の時間Ｔ１、第２の時間Ｔ２、第３の時間Ｔ３、および第４の時間Ｔ４の情報は、工場等から出荷される直前に蓄電池システム６に記憶されるものであってもよい。
【００５４】
(実施の形態２)
図９を用いて、実施の形態２の蓄電池システムを説明する。本実施の形態は、実施の形態１とほぼ同様である。本実施の形態は、図９に示されるように、蓄電池用通信機器５が蓄電池システム６に通信部として内蔵されている点においてのみ、図１に示される前述の実施の形態と異なる。
【００５５】
一般に、蓄電池システム６は、空間の占有率が大きいため、建物１００外に設置されることが多い。一方、蓄電池用通信機器（通信部）５は、雨風および太陽光に曝されることは好ましくないため、建物１００内に設置されることが多い。しかしながら、雨風および太陽光に耐え得る防風処理、防水処理、および耐候性処理等が施されているのであれば、蓄電池用通信機器（通信部）５が建物１００外に設置される蓄電池システム６に内蔵されていてもよい。この場合、実際には蓄電池システム６内の蓄電池用通信機器５が蓄電池管理サーバ２と通信しているが、蓄電池システム６が蓄電池管理サーバ２と通信していると言い得る。なお、蓄電池システム６が建物１００内に設置される場合も、蓄電池用通信機器（通信部）５が蓄電池システム６に内蔵されていてもよい。
【００５６】
なお、本実施の形態の蓄電池システム６内の蓄電池用通信機器（通信部）５も、前述の実施の形態１で説明した蓄電池通信制御プログラム５Ｐによって制御され得る。
【００５７】
(実施の形態３)
図１０を用いて、実施の形態３の蓄電池システムを説明する。本実施の形態は、実施の形態１とほぼ同様である。本実施の形態は、図１０に示されるように、蓄電池用通信機器５が蓄電池システム６の制御部６Ｃと一体化された通信部５Ａに置き換えられている点においてのみ、図１に示される前述の実施の形態と異なる。つまり、本実施の形態においては、蓄電池システム６の制御部６Ｃに通信部５Ａが組み込まれている。蓄電池システム６の小型化の観点からは、図１０に示されるように、蓄電池用通信機器５と同様の構成を有し、蓄電池用通信機器５と同様の機能を発揮する通信部５Ａが蓄電池システム６の制御部６Ｃと一体化されていることが好ましい。
【００５８】
なお、本実施の形態の蓄電池システム６内の通信部５Ａも、前述の実施の形態１で説明した蓄電池通信制御プログラム５Ｐによって制御され得る。ただし、本実施の形態の蓄電池通信制御プログラム５Ｐは、蓄電池６Ａを制御する制御部６Ｃにおいて実行されるプログラムの一部になっている。
【００５９】
（特徴的構成およびそれにより得られる効果）
以下、実施の形態の蓄電池用通信機器、蓄電池システム、およびそれらに用いられる蓄電池通信制御プログラム、ならびに、蓄電池管理サーバおよびそれに用いられる蓄電池管理プログラムの特徴的構成および効果をまとめて記載する。
【００６０】
（１）  蓄電池用通信機器５は、図１および図２に示されるように、蓄電池６Ａと蓄電池６Ａを制御する制御部６Ｃとを備えた蓄電池システム６から蓄電池システム６を管理する蓄電池管理サーバ２へ蓄電池に関する情報を送信するものである。蓄電池用通信機器５は、制御部６Ｃから取得された蓄電池に関する複数種類の情報を記憶するメモリ５Ｍと、メモリ５Ｍに記憶された複数種類の情報を蓄電池管理サーバ２へ送信する送信部５Ｃと、を備えている。送信部５Ｃは、図３に示されるように、第１の時間Ｔ１ごとに、複数種類の情報のうちの第１の通信情報を蓄電池管理サーバ２へ送信する第１の通信処理を実行する。送信部５Ｃは、図３に示されるように、第１の時間Ｔ１よりも短い第２の時間Ｔ２ごとに、複数種類の情報のうちの第２の通信情報を蓄電池管理サーバ２へ送信する第２の通信処理を実行する。第１の通信情報のデータ量は、第２の通信情報のデータ量よりも多い。これによれば、通信情報の処理の負担の増加を抑制しながら、通信情報の遅延時間を短くすることができる。
【００６１】
（２）  第１の通信情報は、図４に示されるように、蓄電池６Ａの故障または再起動の情報、蓄電池６Ａの通算充電量の情報、および蓄電池６Ａの通算放電量の情報のうちの少なくともいずれか１つを含んでいてもよい。これによれば、通信情報の処理の負担の増加を抑制することができる。
【００６２】
（３）  第２の通信情報は、図４に示されるように、次の情報のうちの少なくともいずれか１つの情報を含んでいてもよい。その情報は、蓄電池６Ａの残存容量の情報、蓄電池６Ａが充電状態、放電状態、および待機状態のうちのいずれの状態であるのかを示す情報、ならびに、蓄電池６Ａの温度の情報である。これによれば、通信情報の遅延時間を短くすることができる。
【００６３】
（４）  実施の形態の蓄電池システム６は、図２、図９、および図１０に示されるように、蓄電池６Ａと蓄電池６Ａを制御する制御部６Ｃと蓄電池に関する情報を管理する蓄電池管理サーバ２へ送信する通信部５Ａとを備えている。図１０に示される通信部５Ａは、図９に示される蓄電池用通信機器５であってもよい。通信部５Ａは、制御部６Ｃから取得された蓄電池に関する複数種類の情報を記憶するメモリ５Ｍと、メモリ５Ｍに記憶された複数種類の情報を蓄電池管理サーバ２へ送信する送信部５Ｃと、を備えている。送信部５Ｃは、図３に示されるように、第１の時間Ｔ１ごとに、複数種類の情報のうちの第１の通信情報を蓄電池管理サーバ２へ送信する第１の通信処理を実行する。送信部５Ｃは、図３に示されるように、第１の時間Ｔ１よりも短い第２の時間Ｔ２ごとに、複数種類の情報のうちの第２の通信情報を蓄電池管理サーバ２へ送信する第２の通信処理を実行する。第１の通信情報のデータ量は、第２の通信情報のデータ量よりも多い。これによれば、通信情報の処理の負担の増加を抑制しながら、通信情報の遅延時間を短くすることができる。
【００６４】
（５）  実施の形態の蓄電池管理サーバ２は、図１に示されるように、蓄電池システム６を管理するためのものである。蓄電池管理サーバ２は、図２に示されるように、蓄電池システム６へ送信される蓄電池管理に関する複数種類の情報を記憶するメモリ２Ｍと、メモリ２Ｍに記憶された複数種類の情報を蓄電池システムへ送信する送信部２Ｃと、を備えている。送信部２Ｃは、図８に示されるように、第３の時間Ｔ３ごとに、複数種類の情報のうちの第３の通信情報を蓄電池システム６へ送信する第３の通信処理を実行する。送信部２Ｃは、図８に示されるように、第３の時間Ｔ３よりも短い第４の時間Ｔ４ごとに、複数種類の情報のうちの第４の通信情報を蓄電池管理サーバ２へ送信する第４の通信処理を実行する。第３の通信情報のデータ量は、第４の通信情報のデータ量よりも多い。これによれば、通信情報の処理の負担の増加を抑制しながら、通信情報の遅延時間を短くすることができる。
【００６５】
（６）  第３の通信情報は、図５に示されるように、蓄電池システム６の充電および放電のスケジュールを特定可能な情報を含んでいてもよい。これによれば、通信情報の処理の負担の増加を抑制することができる。
【００６６】
（７）  蓄電池システム６は、電力系統７から蓄電池システム６へ充電できかつ蓄電池システム６から電力系統７へ放電できるように構成されていてもよい。蓄電池管理サーバ２は、電力系統７から蓄電池システム６への充電を要求するデマンドレスポンス指令情報および蓄電池システム６から電力系統７への放電を要求するデマンドレスポンス指令情報のそれぞれを送信できてもよい。第４の通信情報は、図５に示されるように、デマンドレスポンス指令情報を含んでいてもよい。これによれば、デマンドレスポンス指令情報の遅延時間を短くすることができる。そのため、電力の需要または供給に迅速に対応することができる。
【００６７】
（８）  実施の形態の蓄電池通信制御プログラム５Ｐは、蓄電池システム６と蓄電池管理サーバ２との通信を中継する蓄電池用通信機器５または蓄電池システム６に組み込まれたコンピュータを動作させるためのものである。蓄電池通信制御プログラム５Ｐの実行により、蓄電池システム６を管理する蓄電池管理サーバ２へ蓄電池に関する情報が送信される。そのために、蓄電池通信制御プログラム５Ｐは、コンピュータを前述のメモリ５Ｍおよび送信部５Ｃとして機能させる。これによれば、通信情報の処理の負担の増加を抑制しながら、通信情報の遅延時間を短くすることができる。
【００６８】
（９）  実施の形態の蓄電池管理プログラム２Ｐは、図２に示されるように、蓄電池システム６を管理する蓄電池管理サーバ２に組み込まれたコンピュータを動作させるためのものである。蓄電池管理プログラム２Ｐは、コンピュータを前述のメモリ２Ｍおよび送信部２Ｃとして機能させる。これによれば、通信情報の処理の負担の増加を抑制しながら、通信情報の遅延時間を短くすることができる。
【符号の説明】
【００６９】
２  蓄電池管理サーバ
２Ｃ  送信部
２Ｍ  メモリ
２Ｐ  蓄電池管理プログラム
５  蓄電池用通信機器
５Ｃ  送信部
５Ｍ  メモリ
５Ｐ  蓄電池通信制御プログラム
６  蓄電池システム
６Ａ  蓄電池
６Ｃ  制御部
７  電力系統
【図１】
2018046711.tif 000003
【図２】
2018046711.tif 000004
【図３】
2018046711.tif 000005
【図４】
2018046711.tif 000006
【図５】
2018046711.tif 000007
【図６】
2018046711.tif 000008
【図７】
2018046711.tif 000009
【図８】
2018046711.tif 000010
【図９】
2018046711.tif 000011
【図１０】
2018046711.tif 000012